(57)【要約】【課題】  視聴者がＴＶ画面上にＥＰＧ表示を呼び出したときに、ＥＰＧデータとともにＣＭデータが表示されるようにしてＣＭデータが削除されるのを防止する。【解決手段】  ＨＤＤレコーダは、全体の制御を行うＭＰＵ４が、ＣＭ編集機能モードが選択されると、ＴＶ放送データをＴＶ放送本体データとＣＭデータとに分離するよう制御する。ＨＤＤレコーダは、ＴＶ放送本体データを記録する第１の記録領域とＣＭデータを記録する第２の記録領域とを備えるＨＤＤを備えている。ＨＤＤレコーダは、さらに、ＥＰＧデータを記憶するＥＰＧメモリと、ＥＰＧ画面呼び出しキー操作時に上記ＥＰＧメモリから読み出したＥＰＧデータに第２の記録領域に記録されているＣＭデータを合成する合成部とを備えている。【選択図】  図１
2008103833.tif 000002
【特許請求の範囲】
【請求項１】
録画動作時にＴＶ放送データを記録部に書き込むＴＶ放送データ書き込み制御手段と、ＴＶ放送データとは別に放送されてくるＥＰＧデータを受信して記憶するＥＰＧメモリと、所定の操作時に前記ＥＰＧメモリに記憶されているＥＰＧデータを読み出して出力するＥＰＧデータ出力手段とを備えるテレビ放送録画装置において、
前記記録部は、ＣＭデータのないＴＶ放送本体データを記録するＴＶ放送本体データ記録部と、前記ＣＭデータを記録するＣＭデータ記録部とを備えるＨＤＤで構成され、
前記ＴＶ放送データ書き込み制御手段は、ＴＶ放送データをＣＭデータのないＴＶ放送本体データとＣＭデータとに分離し、ＴＶ放送本体データを前記ＴＶ放送本体データ記録部に書き込み、ＣＭデータを前記ＣＭデータ記録部に書き込み、
前記ＥＰＧデータ出力手段は、前記ＣＭデータ記録部からＣＭデータを読み出して前記ＥＰＧデータの画面空き領域に対応する部分に合成して出力する合成手段を備え、
前記合成手段は、前記ＣＭデータ記録部からＣＭデータを読み出すときに、その読み出しを早送り再生速度で読み出すとともに、その読み出したＣＭデータを前記ＣＭデータ記録部から削除し、さらに、前記ＣＭデータ記録部からＣＭデータを読み出すときに、前記ＣＭデータ記録部の空き容量を検出し、この空き容量を示す表示バー、数値、符号等の空き容量表示データを前記ＥＰＧデータの画面空き領域に対応する部分に合成して出力し、
前記ＥＰＧデータ出力手段は、前記合成手段において前記ＣＭデータ記録部からＣＭデータを読み出すときに、書き込み時から所定の期間を経過していないＣＭデータのみを前記合成手段に出力し、それ以外のＣＭデータを削除することを特徴とする、テレビ放送録画装置。
【請求項２】
録画動作時にＴＶ放送データを記録部に書き込むＴＶ放送データ書き込み制御手段と、ＴＶ放送データとは別に放送されてくるＥＰＧデータを受信して記憶するＥＰＧメモリと、所定の操作時に前記ＥＰＧメモリに記憶されているＥＰＧデータを読み出して出力するＥＰＧデータ出力手段とを備えるテレビ放送録画装置において、
前記記録部は、ＣＭデータのないＴＶ放送本体データを記録するＴＶ放送本体データ記録部と、前記ＣＭデータを記録するＣＭデータ記録部とを備え、
前記ＴＶ放送データ書き込み制御手段は、ＴＶ放送データをＣＭデータのないＴＶ放送本体データとＣＭデータとに分離し、ＴＶ放送本体データを前記ＴＶ放送本体データ記録部に書き込み、ＣＭデータを前記ＣＭデータ記録部に書き込み、
前記ＥＰＧデータ出力手段は、前記ＣＭデータ記録部からＣＭデータを読み出して前記ＥＰＧデータの画面空き領域に対応する部分に合成して出力する合成手段を備えることを特徴とする、テレビ放送録画装置
【請求項３】
前記合成手段は、前記ＣＭデータ記録部からＣＭデータを読み出すときに、その読み出したＣＭデータを前記ＣＭデータ記録部から削除する、請求項２記載のテレビ放送録画装置。
【請求項４】
前記合成手段は、前記ＣＭデータ記録部からＣＭデータを読み出すときに、その読み出しを早送り再生速度で読みだす、請求項２又は３記載のテレビ放送録画装置。
【請求項５】
前記ＥＰＧデータ出力手段は、前記ＣＭデータ記録部からＣＭデータを読み出すときに、書き込み時から所定の期間を経過していないＣＭデータのみを前記合成手段に出力し、それ以外のＣＭデータを削除する、請求項２〜４のいずれかに記載のテレビ放送録画装置。
【請求項６】
前記ＥＰＧデータ出力手段は、前記ＣＭデータ記録部からＣＭデータを読み出すときに、前記ＣＭデータ記録部の空き容量を検出し、この空き容量を示す表示バー、数値、符号等の空き容量表示データを前記ＥＰＧデータの画面空き領域に対応する部分に合成して出力する、請求項２〜５のいずれかに記載のテレビ放送録画装置。
【発明の詳細な説明】
【技術分野】
【０００１】
この発明は、ＨＤＤ（Ｈａｒｄ  Ｄｉｓｋ  Ｄｒｉｖｅ）レコーダなど、ＴＶ放送番組を高速ランダムアクセスにより記録再生可能な可能なテレビ放送録画装置に関する。
【背景技術】
【０００２】
ＨＤＤレコーダには、ＴＶ放送番組からＣＭ部分を抽出して編集するＣＭ編集機能の付加されたものがある。例えば、特許文献１に示される装置では、ＴＶ放送データをＣＭデータのないＴＶ放送本体データとＣＭデータとに分離し、それぞれをＨＤＤ内の別々の領域に記録して、選択的にそれらの削除を行う。また、特許文献２に示される装置では、番組コンテンツ内の汎用スポット・ＣＭコンテンツに代わって視聴者の嗜好にあったスポット・ＣＭコンテンツを挿入して再生する。
【０００３】
このように、ＣＭ編集機能の付加された装置では、視聴者側の意向に沿ってＣＭ部分の操作が可能であるため、視聴者は、ＣＭ部分を飛ばしてＴＶ放送番組だけを視聴したり、嗜好にあったＣＭだけを視聴することが可能となる。
【特許文献１】特開２００１−２８３５０１号公報
【特許文献２】特開２００２−２７１７３６号公報
【発明の開示】
【発明が解決しようとする課題】
【０００４】
ところが、ＣＭはＴＶ放送番組のスポンサーが提供するものであるため、ＣＭが削除又は変更されたＴＶ放送番組だけが視聴されると、スポンサーに損害を生じさせることになる。特に、記録されているＣＭを完全に削除してしまうと、それ以降に再生する可能性がなくなるため、ＣＭ編集機能を使う視聴者が多数になれば損額額が無視できなくなるという問題が生じる。
【０００５】
この発明は、ＴＶ放送データとは別に放送されてくるＥＰＧ（電子番組ガイド：Electronic Program Guide）データにＣＭデータを合成して出力することにより、視聴者がＴＶ画面上にＥＰＧ表示を呼び出したときに、ＥＰＧデータとともにＣＭデータが表示されるようにしてＣＭデータが削除されるのを防止するテレビ放送録画装置を提供することを目的とする。
【課題を解決するための手段】
【０００６】
この発明のテレビ放送録画装置は、録画動作時にＴＶ放送データを記録部に書き込むＴＶ放送データ書き込み制御手段と、ＴＶ放送データとは別に放送されてくるＥＰＧデータを受信して記憶するＥＰＧメモリと、所定の操作時に前記ＥＰＧメモリに記憶されているＥＰＧデータを読み出して出力するＥＰＧデータ出力手段とを備えるテレビ放送録画装置において、
前記記録部は、ＣＭデータのないＴＶ放送本体データを記録するＴＶ放送本体データ記録部と、前記ＣＭデータを記録するＣＭデータ記録部とを備え、
前記ＴＶ放送データ書き込み制御手段は、ＴＶ放送データをＣＭデータのないＴＶ放送本体データとＣＭデータとに分離し、ＴＶ放送本体データを前記ＴＶ放送本体データ記録部に書き込み、ＣＭデータを前記ＣＭデータ記録部に書き込み、
前記ＥＰＧデータ出力手段は、前記ＣＭデータ記録部からＣＭデータを読み出して前記ＥＰＧデータの画面空き領域に対応する部分に合成して出力する合成手段を備えることを特徴とする。
【０００７】
記録部は、典型的にはＨＤＤで構成され、予め、２つの記録領域を備えている。第１の記憶領域（ＴＶ放送本体データ記録部）には、ＣＭデータのないＴＶ放送本体データが記録される。第２の記録領域（ＣＭデータ記録部）には、ＣＭデータが記録される。ＴＶ放送データをＣＭデータのないＴＶ放送本体データとＣＭデータとに分離する機能は、ＴＶ放送データ書き込み制御手段が持っている。これらのデータの分離は、例えば、双方のデータの区切りに音声空白期間があることを利用して行ったり、双方のデータの音量差があることを利用して行ったり、音声多重の有無で行ったりする。ＴＶ放送データ書き込み制御手段は、ＴＶ放送データをこのように分離してから、それぞれ対応する記憶領域に書き込む。
【０００８】
前記ＥＰＧデータ出力手段は、ＴＶ放送データとは別に定期的に放送されてくるＥＰＧデータに対して前記記録部から読み出したＣＭデータを合成して出力する。このとき、ＣＭデータの画面上の合成位置は、ＥＰＧデータの画面空き領域に対応する部分（位置）に設定されている。したがって、ＥＰＧ画面では、その空き領域にＣＭデータが表示されていく。
【０００９】
これにより、視聴者がＥＰＧ画面を読み出したときに、ＥＰＧ画面が呼び出されるとともに、その画面上にＣＭデータも重畳して表示される。
【００１０】
上記のようにしてＥＰＧ画面上で表示されたＣＭデータは、記録部から削除しても良い。また、ＣＭデータは早送りモードで表示することも可能である。さらに、記録部に記録されてから所定の期間経過しても表示されないＣＭデータを自動的に削除することもできる。
【発明の効果】
【００１１】
この発明によれば、ＴＶ放送データから分離したＣＭデータを記録部に蓄積しておいて、視聴者がＥＰＧ画面を呼び出したときに、その画面の空き領域に表示するようにしているため、ＣＭデータを完全に削除することなく、ときとぎ視聴者に視聴させることができる。
【発明を実施するための最良の形態】
【００１２】
図１は、この発明の実施形態であるＨＤＤレコーダの概略構成図である。
【００１３】
ＴＶチューナ１は、図外のアンテナで受信し、又はケーブルで受けたＴＶ放送信号を受け、視聴者（以下、ユーザと称する）が選択するチャンネルのＴＶ放送データを出力する。
【００１４】
ＭＰＥＧエンコーダ２は、ＴＶチューナ２またはライン入力端子から入力したＴＶ放送データ（ＡＶデータ）をＭＰＥＧエンコードする。ＭＰＥＧエンコードされたデータは、データプロセッサ３に渡され、ＭＰＵ（中央処理装置）４の制御の下にＨＤＤ５に記録される。ＭＰＵ４は、後述の入力操作部においてのユーザの選択操作によりＣＭ編集機能を実行することができる。ＣＭ編集機能とは、ＴＶ放送データをＣＭデータのないＴＶ放送本体データとＣＭデータとに分離する機能である。ＭＰＵ４においてＣＭ編集機能が実行されると、データプロセッサ３は、ＴＶ放送データをＣＭデータのないＴＶ放送本体データとＣＭデータとに分離し、ＨＤＤインターフェイスを介してＴＶ放送本体データをＨＤＤ５の第１の記憶領域（ＴＶ放送本体データ記録部）５０に順次記録し、ＣＭデータを第２の記憶領域（ＣＭデータ記録部）５１に順次記録する。
【００１５】
ＴＶチューナ１は、ＴＶ放送信号とは別に定期的にＥＰＧ信号を受信する。このＥＰＧ信号はＴＶチューナ１でＡ／Ｄ変換されてＥＰＧデータとしてＥＰＧメモリ６に記憶される。ＥＰＧメモリ６に記憶されたＥＰＧデータは、ＴＶチューナ１がＥＰＧ信号を受信する毎に更新され、ユーザにより任意に呼び出されて出力される。
【００１６】
ＨＤＤ５に記録されているＴＶ放送本体データは、再生モードが設定されると、データプロセッサ３により読み出されてＭＰＥＧデコーダ７に渡され、ＭＰＥＧデコードされる。さらに、音声データと映像データに分離され、前者はＤ／Ａ変換チップ８でＤ／Ａ変換されてオーディオ出力端子に出力され、後者は後述の合成部９を通ってビデオエンコーダ９でＮＴＳＣ/ＰＡＬのコンポジット信号またはＳビデオ信号に変換され、ビデオ出力端子に出力される。オーディオ出力端子とビデオ出力端子は、ＴＶ装置等の外部装置に接続され、オーディオ出力はアンプ等を介してスピーカに入力し、ビデオ出力は表示回路を介してディスプレイ１１に出力される。
【００１７】
ＭＰＵ４には、入力操作部１２、表示部１３、メモリ１４が接続されている。入力操作部１２は、ＨＤＤレコーダに対する各種操作を行うためのキーを備えている。例えば、ＴＶチューナ１によるチャンネル選択操作キー、電源オンオフキー、ＥＰＧ画面呼び出しキー、各種モード設定キーを備えている。各種モード設定キーは、録画モード、再生モード、ＣＭ編集機能モードの選択キーを含んでいる。入力操作部は、赤外線で通信可能なリモコンで構成されるが、ＴＶ放送録画装置の本体にも設けられている。
【００１８】
表示部１３は、入力操作部１２で操作された内容を表示したり、ＴＶ放送録画装置の状態を表示したりする。また、メモリ４１は、ＭＰＵ４の動作のためのプログラムや固定のデータ等を記憶し、さらに、ＭＰＵ４の動作時にワークエリアとなる記憶部を含んでいる。
【００１９】
前記入力操作部１２において、録画モードが選択されると、そのときのＣＭ編集機能モードの選択有無によりＨＤＤ５への記録形式が変わる。ＭＰＵ４は、ＣＭ編集機能モードが選択されていない場合には、ＴＶチューナ１で選択されているチャンネルのＴＶ放送データそのものをＨＤＤ５の第１の記憶領域（ＴＶ放送本体データ記録部）５０に書き込むための制御を行う。ＭＰＵ４は、ＣＭ編集機能モードが選択されていると、ＴＶ放送データをＣＭデータのないＴＶ放送本体データとＣＭデータとに分離し、ＴＶ放送本体データを第１の記憶領域（ＴＶ放送本体データ記録部）５０に書き込み、ＣＭデータを第２の記憶領域（ＣＭデータ記録部）５１に書き込むための制御を行う。データの分離は、例えば、双方のデータの区切りに音声空白期間があることを利用して行ったり、双方のデータの音量差があることを利用して行ったり、音声多重の有無で行ったりする。
【００２０】
前記入力操作部１２において、再生モードが選択されると、ＭＰＵ４は、ＨＤＤ５の第１の記憶領域５０に記録されているデータを読み出してＭＰＥＧ７デコーダに渡す。
【００２１】
前記入力操作部１２において、ＥＰＧ画面呼び出しキーが操作されると、ＭＰＵ４は、ＥＰＧメモリ６に記憶されているＥＰＧデータを読み出して合成部９に出力する。このとき、ＭＰＵ４は、ＨＤＤ５の第２の記憶領域５１に記憶されているＣＭデータの読み出し制御を行う。すなわち、第２の記憶領域５１に記憶されているＣＭデータを読み出してＭＰＥＧデコーダ７に出力する。これにより、合成部９は、ＥＰＧデータとＣＭデータとを合成してビデオエンコーダ１０に出力する。
【００２２】
合成部９では、読み出したＣＭデータをＥＰＧデータの画面空き領域に対応する部分に合成するよう動作する。
【００２３】
図２は、ＥＰＧ画面を示している。このＥＰＧ画面は、ディスプレイ１１上に表示される。
【００２４】
図において、画面領域ＡはＥＰＧデータの本体部分を表示し、画面領域ＢはＥＰＧデータの静止画部分（例えば、視聴者への提供情報や静止画ＣＭで構成される）を表示し、画面領域ＣはＣＭデータを表示する。また、画面領域Ｄは第２の記憶領域の空き容量を表すバーを表示する。このバーは、ハッチングで示す領域が使用済み容量に相当し、白抜きで示す領域が空き容量に相当している。ＥＰＧメモリ６に記憶されているＥＰＧデータは、上記画面領域Ａと画面領域Ｂを占める大きさであり、画面全体の上方は空き領域である。合成部９は、この空き領域に画面領域Ｃを配置する。すなわち、合成部９は、ＣＭデータを画面領域Ｃに対応する部分に合成する。また、合成部９は、画面領域Ｃの横に画面領域Ｄを配置するよう、表示バーのデータを画面領域Ｄに対応する部分に合成する。
【００２５】
合成部９がこのような合成処理を行うことにより、ユーザが、ＥＰＧ画面呼び出しキーを操作すると、ディスプレイ１１の画面上にはＥＰＧデータが表示されるとともに、その左上の画面領域Ｃには、そのときにＨＤＤ５の第２の記憶領域５１に記憶されているＣＭデータが動画で表示される。また、領域Ｄには、表示バーも表示される。なお、表示バーに代えて、空き容量を示す、「％」を含む数値でも良く、また、Ａ，Ｂ，Ｃランク等の符号でも良い。
【００２６】
次に、ＭＰＵ４の動作について図３、図４を参照して説明する。
【００２７】
図３、図４は、ＭＰＵ４及びデータプロセッサ３の一部の動作を示すフローチャートである。
【００２８】
ユーザにより入力操作部１２で操作があると、ＳＴ１〜ＳＴ５において、操作された内容を判定する。
【００２９】
ＳＴ１で録画操作を判定すれば、録画モードが設定され、ＳＴ１０においてＣＭ編集フラグがオン状態かどうかを判定する。後述のように、ＣＭ編集フラグは、ＣＭ編集機能モードが選択されるとオンする。ＣＭ編集機能モードが選択されていると（ＣＭ編集フラグがオン）、ＳＴ１１において、そのときに選択されているチャンネルのＴＶ放送データに対してＣＭデータとＴＶ放送本体データとの分離操作を行いながら、それぞれをＨＤＤ５に記録していく。すなわち、ＴＶ放送本体データについてはＨＤＤ５の第１の記憶領域（ＴＶ放送本体データ記録部）５０に記録していき、ＣＭデータについてはＨＤＤ５の第２の記憶領域（ＣＭデータ記録部）５１に記録していく。ＣＭ編集機能モードが選択されていなければ（ＣＭ編集フラグがオフ）、ＳＴ１２において、ＴＶ放送データ（ＴＶ放送本体データとＣＭデータ）をそのまま第１の記憶領域５０に記録していく。
【００３０】
ＳＴ２で、ＥＰＧ表示操作（ユーザによるＥＰＧ画面呼び出しキーの操作）を判定すれば、ＳＴ１５に進み、ＥＰＧデータをＥＰＧメモリ６から読み出して合成部９に出力する。また、ＳＴ１６において、ＨＤＤ５の第２の記憶領域５１からＣＭデータを読み出し、これを合成部９に出力するとともに、読み出したＣＭデータを第２の記憶領域５１から削除する。このとき、第２の記憶領域５１から読み出すＣＭデータの読み出し順序は、記録日時が最も古いものからとする。この動作により、合成部９では、ＥＰＧデータに古いＣＭデータから順に合成される。合成の方法については、上述のように、画面領域Ａ、ＢにＥＰＧデータが表示され、画面領域ＣにＣＭデータが表示されるように合成する。したがって、ＥＰＧ画面上では、ＥＰＧデータとともにＣＭデータが再生される。ユーザは、ＥＰＧデータを見ながらＣＭデータを視聴することができる。また、ＭＰＵ４は、このとき、第２の記憶領域５１の空き容量を検出し、領域Ｄに空き容量を示すバーを表示する。
【００３１】
ＳＴ３で、チャンネル操作を判定すれば、ＳＴ２０において、そのチャンネル（ＴＶ番組）選択コマンドをチューナ１に対して送る。
【００３２】
図４のＳＴ４で、ＣＭ編集機能操作（ＣＭ編集機能モードの選択）を判定すれば、ＳＴ３０において、ＣＭ編集フラグをオンする。ＣＭ編集フラグがオンすると、上述したように、録画モードが選択されたときにＣＭ編集機能によって、ＴＶ放送データがＴＶ放送本体データとＣＭデータに分離されて、それぞれがＨＤＤ５の別々の領域に記録されていく。
【００３３】
ＳＴ５で、再生操作を判定すれば、再生モードが設定され、ＳＴ４０において、ＨＤＤ５の第１の記録領域５０に記録されているデータが読み出されて出力される（再生される）。このときには、第２の記録領域５１に記録されているＣＭデータは読み出されない。したがって、それまでＣＭ編集機能モードの選択されていて、第１の記録領域５０にＴＶ放送本体データだけが記録されていると、ユーザはＣＭデータの除去されたＴＶ放送本体データだけを視聴することができる。
【００３４】
以上の動作により、ＣＭ編集機能モードが選択された場合には、再生時にＣＭデータのないＴＶ放送本体データだけが再生されるが、そのＣＭデータは、ＥＰＧ画面呼び出し操作があったときにＥＰＧ画面上で再生される。
【００３５】
なお、ＥＰＧ画面の画面領域ＤにはＣＭデータの空き容量を示すバーが表示されているため、空き容量に余裕がない場合に、ユーザに対してＥＰＧ画面の表示時間を長くするよう間接的に知らせることができる。
【００３６】
本実施形態では、ＣＭデータを通常の速度で読み出しているが、これを早送り再生速度で読み出すことが可能である。早送り再生速度で読み出すためには、ＨＤＤ５の第２の記憶領域５１に記憶されているＣＭデータのＩピクチャだけを読み出す制御を行う。ＭＰＥＧエンコードされたデータは、Ｉビクチャ、Ｐピクチャ、Ｂピクチャを組み合わせたストリームで構成されるが、このうちのＩピクチャのみを読み出していくことにより、ＥＰＧ画面の画面領域ＣではＣＭデータが早送り再生される。このように制御をすることにより、ＣＭデータの再生時間を短くすることができる。
【００３７】
他の実施形態として、ＣＭデータにタイムスタンプを付加して記録し、記録時から一定の時間が経過したＣＭデータを自動的に削除する装置が考えられる。
【００３８】
図５は、この装置においてＨＤＤ５の第２の記憶領域５１に記録されているＣＭデータ列を示している。図示のように、１つのＣＭデータに記録時のタイムスタンプが付加されている。図６に示すように、一定時間毎のタイマ割り込みにより、領域５１に記録されているＣＭデータを全部チェックし、そのときの時刻と各ＣＭデータのタイムスタンプとを対比する（ＳＴ５０）。次に、タイムスタンプの時刻から１カ月以上経過しているＣＭデータを領域５１から削除する。このように、記録時から一定の時間が経過したＣＭデータを自動的に削除することにより、未視聴のＣＭデータがＨＤＤ５に溜まりすぎないように制御することができる。
【図面の簡単な説明】
【００３９】
【図１】この発明の実施形態であるＨＤＤレコーダの概略構成図である
【図２】ＥＰＧ画面を示す図である。
【図３】ＨＤＤレコーダの要部動作を示すフローチャートである。
【図４】ＨＤＤレコーダの要部動作を示すフローチャートである。
【図５】この発明の他の実施形態のＣＭデータ列を示す図である。
【図６】この発明の他の実施形態の要部動作を示すフローチャートである。
【符号の説明】
【００４０】
５−ＨＤＤ
５０−第１の記憶領域（ＴＶ放送本体データ記録部）
５２−第２の記憶領域（ＣＭデータ記録部）
９−合成部
【図１】
2008103833.tif 000003
【図２】
2008103833.tif 000004
【図３】
2008103833.tif 000005
【図４】
2008103833.tif 000006
【図５】
2008103833.tif 000007
【図６】
2008103833.tif 000008